(57)【特許請求の範囲】
【請求項１】
第１のフィルタ・ポート（ＬＯ）と第２のフィルタ・ポート（ＬＩ）との間を伝送される信号を濾波するフィルタ構成であって、前記信号の所定の周波数成分を濾波するフィルタ手段（Ｌ１；Ｌ２）及び前記第１のフィルタ・ポートと前記第２のフィルタ・ポートとの間で不所望の信号伝送を制限する関連クランプ手段（Ｔ１；Ｔ２）を含み、前記クランプ手段が前記信号の所定のパラメータ（Ｉ；Ｖ）の変動（ｄＩ／ｄｔ、ｄＶ／ｄｔ）を制限する能動デバイス手段（Ｔ１；Ｔ２）を含み、
前記フィルタ手段が、前記第２のフィルタ・ポート（ＬＩ）へ接続された第１の端部、及び前記能動デバイス手段（Ｔ１；Ｔ２）のメイン・パスを介して前記第１のフィルタ・ポート（ＬＯ）へ結合された第２の端部を有する少なくとも１つのリアクタンス素子（Ｌ１；Ｌ２）を含み、前記能動デバイスが、前記リアクタンス素子の前記第１の端部へ接続された制御端子を更に有する、ことを特徴とするフィルタ構成。
【請求項２】
前記フィルタ構成が線路フィルタ構成であり、前記線路フィルタ構成の前記第１のフィルタ・ポート（ＬＯ）が装置（ＰＯＴＳ／ＰＳＴＮ）へ接続されたローカル・ポートであり、前記第２のフィルタ・ポート（ＬＩ）が伝送線（ＴＰ）へ接続されたライン・ポートであることを特徴とする、請求項１に記載のフィルタ構成。
【請求項３】
前記フィルタ構成が、前記装置（ＰＯＴＳ／ＰＳＴＮ）と前記伝送線（ＴＰ）との間を伝送される信号の高周波成分を濾波するように構成された低域フィルタであり、前記リアクタンス素子がインダクタ（Ｌ１；Ｌ２）であり、前記能動デバイスがトランジスタ（Ｔ１；Ｔ２）であることを特徴とする、請求項２に記載のフィルタ構成。
【請求項４】
前記装置（ＰＯＴＳ／ＰＳＴＮ）が前記ローカル・ポート（ＬＯ）の第１（ＬＯａ）及び第２（ＬＯｂ）のローカル端子へ接続され、
前記伝送線（ＴＰ）が前記ライン・ポート（ＬＩ）の第１（ＬＩａ）及び第２（ＬＩｂ）のライン端子へ接続された２線式線路であることを特徴とする請求項３に記載のフィルタ構成。
【請求項５】
前記フィルタ構成が、前記装置（ＰＯＴＳ／ＰＳＴＮ）が接続された第１（ＬＯａ）及び第２（ＬＯｂ）のローカル端子を有する前記第１のフィルタ・ポート（ＬＯ）と、２線式線路である前記伝送線が接続された第１（ＬＩａ）及び第２（ＬＩｂ）のライン端子を有する前記第２のフィルタ・ポート（ＬＩ）との間を伝送される信号の高周波成分を濾波する低域フィルタであり、
前記リアクタンス素子（Ｌ１；Ｌ２）が第１のインダクタ（Ｌ１）及び第２のインダクタ（Ｌ２）であり、前記能動デバイス手段（Ｔ１；Ｔ２）が第１のトランジスタ（Ｔ１）及び第２のトランジスタ（Ｔ２）からなり、
前記第１のライン端子（ＬＩａ）が前記第１のインダクタ（Ｌ１）の第１の端部に接続され、前記第１のインダクタの第２の端部が前記第１のトランジスタ（Ｔ１）のメイン・パスを介して前記第１のローカル端子（ＬＯａ）へ接続され、前記第１のトランジスタの制御端子が前記第１のインダクタの前記第１の端部へ接続され、
前記第２のライン端子（ＬＩｂ）が前記第２のインダクタ（Ｌ２）の第１の端部に接続され、前記第２のインダクタの第２の端部が前記第２のトランジスタ（Ｔ２）のメイン・パスを介して前記第２のローカル端子（ＬＯｂ）へ結合され、前記第２のトランジスタの制御端子が前記第２のインダクタの前記第１の端部へ結合されていることを特徴とする、請求項２に記載のフィルタ構成。
【請求項６】
前記第１（Ｌ１）及び前記第２のインダクタ（Ｌ２）が磁気結合されていることを特徴とする請求項５に記載のフィルタ構成。
【請求項７】
前記能動デバイス手段が第３のトランジスタ（Ｔ３）及び第４のトランジスタ（Ｔ４）を更に含み、
前記第１のライン端子（ＬＩａ）が前記第３のトランジスタ（Ｔ３）のメイン・パスを介して前記第１のインダクタ（Ｌ１）の第１の端部に接続され、前記第３のトランジスタの制御端子が前記第１のインダクタの前記第２の端部に結合され、
前記第２のライン端子（ＬＩｂ）が前記第４のトランジスタ（Ｔ４）のメイン・パスを介して前記第２のインダクタ（Ｌ２）の第１の端部へ接続され、前記第４のトランジスタの制御端子が前記第２のインダクタの前記第２の端部へ結合されていることを特徴とする、請求項５に記載のフィルタ構成。
【請求項８】
前記第１（ＬＯａ）及び第２のライン端子（ＬＯｂ）が一対のトランジスタ（Ｔ５、Ｔ６）の直列接続されたメイン・パスを介して結合され、前記一対のトランジスタ（Ｔ５、Ｔ６）の制御端子がそれぞれ前記第１（Ｌ１）及び第２（Ｌ２）のインダクタの第１の端部へ接続されていることを特徴とする請求項５に記載のフィルタ構成。
【請求項９】
前記クランプ手段が、それぞれ前記第１（Ｌ１）及び第２（Ｌ２）のインダクタへ結合されるツェナダイオードからなる超過電圧保護手段（Ｚ１；Ｚ２）を更に含むことを特徴とする請求項５に記載のフィルタ構成。
【請求項１０】
前記伝送線（ＴＰ）上を伝送される信号が非対称型加入者線ディジタル（ＡＤＳＬ）タイプであることを特徴とする、請求項２に記載のフィルタ構成。
【請求項１１】
前記第１（ＬＯａ）及び前記第２（ＬＯｂ）のローカル端子が第１のコンデンサ（Ｃ１）によって分路され、前記第１（ＬＩａ）及び前記第２（ＬＩｂ）のライン端子が第２のコンデンサ（Ｃ２）によって分路されることを特徴とする請求項５に記載のフィルタ構成。
【発明の詳細な説明】
【０００１】
【発明の属する技術分野】
本発明は、第１のフィルタ・ポートと第２のフィルタ・ポートとの間を伝送される信号を濾波するフィルタ構成に関する。このフィルタ構成は、前記信号の所定の周波数成分を濾波するフィルタ手段と、前記第１のフィルタ・ポートと前記第２のフィルタ・ポートとの間で不所望の信号伝送を制限する関連クランプ手段とを含んでいる。
【０００２】
【従来の技術】
そのようなフィルタ構成は当技術分野で一般的に公知であり、第１のフィルタ・ポートを第２のフィルタ・ポートから分離し、従ってこれらポートに接続された回路、デバイス、又は装置を分離するために使用される。信号は、例えば電源によって与えられる、または、電気通信信号であって、２つの電話セットが例えば第２のフィルタ・ポートへ接続された同じ伝送線を共用する「共同加入線」方式のように、同じ電気通信線上を伝送されるが異なった装置へ向けられる異なった信号を分離するために使用される。更に、多くの電気通信変調方式は周波数分割多重方式（ＦＤＭ）を使用する。従って、第１のフィルタ・ポートへ接続された装置が必要とする信号を、それが必要としない信号から濾波するために、フィルタ構成が必要である。そのようなフィルタ構成の他の重要な応用例は非対称型加入者線ディジタル（ＡＤＳＬ）伝送方式、及びその派生方式、例えばＨＤＳＬ、ＶＡＤＳＬ、などに見出される。周知のように、これらの方式は伝統的な銅撚り対線によって構成される伝送線上で広帯域サービスを提供し、それによってユーザはその構内にファイバが接続されるのを待たないでも、これらのサービスを利用することができる。いわゆる普通の電話サービス（ＰＯＴＳ）の電話信号も同じ電気通信線上を伝送されるので、例えばＡＤＳＬモデムに向けられた高周波数のＡＤＳＬ信号を、ローカル電話セットに向けられた低周波数電話信号から分離するために「スプリッタ」が必要である。そのようなスプリッタは明らかに線路フィルタ構成を含む。高域フィルタは各モデムの前に置かれ、低域フィルタは各ＰＯＴＳインタフェースの前に置かれる。この周波数フィルタリングに加えて、線路フィルタ構成は、更にローカル・ポート（例えば第１のフィルタ・ポート）に接続された装置を、ライン・ポート（例えば第２のフィルタ・ポート）に接続された伝送線から分離するように構成される必要があるが、この分離は構成の片側から生じる電圧／電流の激しい変化の期間、必要とされる。このような変化は、例えば信号のスパイクのケースであり、それは除去されなければならない。
【０００３】
フィルタ構成を含むスプリッタは、例えば１９９５年１２月のＩＥＥＥ  ＪＯＵＲＮＡＬ  ＯＮ  ＳＥＬＥＣＴＥＤ  ＡＲＥＡＳ  ＩＮ  ＣＯＭＭＵＮＩＣＡＴＩＯＮＳ，ＶＯＬ．１３，ＮＯ．９の１６３４〜１６４２頁で発表されたＪ．Ｃｏｏｋらの「ＡＤＳＬ及びＶＡＤＳＬスプリッタの設計及び電話性能」（ＡＤＳＬ  ａｎｄ  ＶＡＤＳＬ  Ｓｐｌｉｔｔｅｒ  Ｄｅｓｉｇｎ  ａｎｄ  Ｔｅｌｅｐｈｏｎｙ  Ｐｅｒｆｏｒｍａｎｃｅ）という記事に説明されている。その中で、ＡＤＳＬ用のスプリッタ、更に具体的には、そこに含まれるフィルタは受動フィルタを基礎とするのが好ましいことが言及されている。主な理由は、それらが給電問題を起こさず、電源が故障したとき機能の継続を保証するからである。更に、受動フィルタは、電話の信号と電力に内在する、電圧及び電流の双方の大きな信号レベルに容易に対処することができる。受動フィルタは一般にインダクタとコンデンサを使用するので線形動作を有する一方、能動フィルタは演算増幅器と抵抗器を使用する。そのような線形アプローチは、ラプラス変換及びネットワーク技術を使用することができるので、設計を比較的容易にする。再び、これらのトピックに関しては、多くの文献が存在する。しかし、この容易な設計は、すべての素子がすべての条件で線形のままである場合に限って有効である。しかし、実際には、飽和したコイルはもはや線形ではない。これは、コイルが飽和しないようにするために、大型の、従って比較的高価なコイルが必要であることを意味する。
【０００４】
ＡＤＳＬ応用例に関連する他の問題は、ＰＯＴＳからＡＤＳＬ側へ、及びその反対方向へ、過渡信号が伝送されないようにすることである。過渡信号は、例えば、バッテリーの電極の反転によって、又は電気通信交換局側における呼び出し信号の開始によって、及び／又は電話機セット（ユーザ）側におけるオンフック／オフフック信号によって、発生される妨害である。過渡信号のマイナス効果から保護するため、大型で高価な高次（例えば、７次）のフィルタが低域フィルタとして必要である。そのような過渡信号及び他の超過電流又は超過電圧信号は、前記の従来技術では言及されていないが、電圧及び／又は電流スパイクを除去するように構成されたツェナダイオードのようなクランプ手段によって吸収することができる。しかし、これらの既知のクランプ手段に伴う問題は、それらが急激に動作することである。
【０００５】
【発明が解決しようとする課題】
本発明の目的は、前述した既知のタイプのフィルタ構成に類似しているが過渡信号をもっと効率的な方法で濾波するように構成され、従来技術のフィルタ構成よりも簡単で安価なものを提供することである。
【０００６】
【課題を解決するための手段】
本発明に従えば、この目的は、前記クランプ手段が前記信号の所定のパラメータの変動を制限するように構成された能動デバイス手段を含むクランプ手段によって達成される。
【０００７】
このようにして、過渡又は不所望の信号によって生じた妨害は、もはや急激にではなく漸進的にクランプ手段によって消滅させられる。テストによれば、最悪の過渡信号も、信号の電流又は電圧の絶対値ではなくそれらパラメータの変動に作用するクランプ手段によって最良に減衰させられる。電流／電圧変動に対して組み合わせられた制限も有効である。
【０００８】
更に詳細には、本発明の特徴は、前記フィルタ手段が少なくとも１つのリアクタンス素子を有し、このリアクタンス素子は、前記第２のフィルタ・ポートに接続された第１の端部、及び前記能動デバイス手段のメイン・パスを介して前記第１のフィルタ・ポートに接続された第２の端部を有し、前記能動デバイス手段は前記リアクタンス素子の前記第１の端部に結合された制御端子を有することである。
【０００９】
このようにして、能動デバイスのための電源は必要とされない。
【００１０】
更に、本発明の特徴は、前記構成が前記装置と前記伝送線との間を伝送される信号の高周波数成分を濾波するように構成された低域フィルタであり、前記リアクタンス素子がインダクタであり、前記能動デバイスがトランジスタであることである。
【００１１】
ＡＤＳＬ信号の場合、信号の高周波数成分を濾波するフィルタ手段に対する要件は、本発明の構成が使用されるならば、従来技術の要件よりもはるかに厳しくなくなることを証明することができる。前述した７次フィルタを使用する代わりに２次（又はせいぜい３次）のフィルタを使用して、同じ結果を得ることができる。更に、本発明の２次フィルタで使用されるインダクタは、従来技術のインダクタよりも小さくなる。なぜなら、信号の電流／電圧が制限されるために、その飽和度が小さくなるからである。
【００１２】
更に、好ましい実施形態では、本発明の特徴は、前記構成が、前記装置が接続された第１及び第２のローカル端子を有する前記第１のフィルタ・ポートと、２線式線路である前記伝送線が接続された第１及び第２のライン端子を有する前記第２のフィルタ・ポートとの間を伝送される信号の高周波数成分を濾波するように構成された低域フィルタであり、前記フィルタ手段が、リアクタンス素子としての第１のインダクタ及び第２のインダクタを有し、前記能動デバイス手段が第１のトランジスタ及び第２のトランジスタを有し、前記第１のライン端子が前記第１のインダクタの第１の端部に接続され、前記第１のインダクタの第２の端部が前記第１のトランジスタのメイン・パスを介して前記第１のローカル端子に結合され、前記第１のトランジスタの制御端子が前記第１のインダクタの前記第１の端部に結合され、前記第２のライン端子が前記第２のインダクタの第１の端部に接続され、前記第２のインダクタの第２の端部が前記第２のトランジスタのメイン・パスを介して前記第２のローカル端子に結合され、前記第２のトランジスタの制御端子が前記第２のインダクタの前記第１の端部に結合されていることである。
【００１３】
このようにして、この構成は伝送された信号の正及び負のスパイクを制限するように構成され、完全に双方向で動作する。
【００１４】
本発明の他の特徴は、前記能動デバイス手段が更に第３のトランジスタ及び第４のトランジスタを含み、前記第１のライン端子が前記第３のトランジスタのメイン・パスを介して前記第１のインダクタの第１の端部に接続され、前記第３のトランジスタの制御端子が前記第１のインダクタの前記第２の端部に結合され、前記第２のライン端子が前記第４のトランジスタのメイン・パスを介して前記第２のインダクタの第１の端部に接続され、前記第４のトランジスタの制御端子が前記第２のインダクタの前記第２の端部に結合されていることである。
【００１５】
従って、本発明のフィルタ構成は、それに接続されたデバイスに関して平衡特性を示す。
【００１６】
更に、本発明の特徴は、前記第１及び第２のライン端子が一対のトランジスタの直列接続されたメイン・パスを介して結合され、これらトランジスタの制御端子がそれぞれ前記第１及び第２のインダクタの第１の端部に接続されていることである。
【００１７】
従って、フィルタ手段及び関連のクランプ手段によって制限された電流は、本発明のフィルタ構成がそれに接続されたデバイスに対して透過であるように、この一対のトランジスタを介して引き出される。
【００１８】
本発明のフィルタ構成の更なる特徴は、添付の請求範囲に記載されている。
【００１９】
本発明の前記及び他の目的及び特徴は、添付の図面と組み合わせて実施形態の次の説明を参照することによって更に明らかとなり、本発明自体も最良に理解されるであろう。
【００２０】
【発明の実施の形態】
特定の使用分野に限定されるものではないが、本発明のフィルタ構成は、図１に示されるような非対称型加入者線ディジタル伝送「ＡＤＳＬ」方式のためのスプリッタに特に適している。公知のように、ＡＤＳＬ方式、又はＨＤＳＬ、ＶＡＤＳＬなどの同様な方式は、伝統的な銅撚り対電話線（伝送線ＴＰ）上で音声及び高周波信号を伝送するように構成される。伝送線ＴＰの各端部には、高周波ＡＤＳＬ信号を低周波普通電話サービスＰＯＴＳ（又は音声）信号から分離するスプリッタが設けられる。更に詳細には、ユーザ宅ＣＰ側においては、スプリッタＳＰ１は、伝送線ＴＰの一端をローカルＡＤＳＬモデムＡＤＳＬｃｐのポートＬＭ１及びユーザ加入者セットＰＯＴＳのローカル・ポートＬＯ１へ接続するライン・ポートＬＩ１を有し、電話局ＣＯ側では、他のスプリッタＳＰ２が、伝送線ＴＰの他端を、中央ＡＤＳＬモデムＡＤＳＬｃｏのポートＬＭ２及び公衆交換電気通信網ＰＳＴＮのローカル・ポートＬＯ２へ接続するライン・ポートＬＩ２を有する。そのために、スプリッタＳＰ１は、ポートＬＩ１及びＬＭ１を相互接続する高域フィルタＨＰ１、及びポートＬＩ１及びＬＯ１を相互接続する低域フィルタＬＰ１を含む。同様に、スプリッタＳＰ２は、ポートＬＩ２及びＬＭ２を相互接続する高域フィルタＨＰ２を含み、またポートＬＩ２及びＬＯ２を相互接続する低域フィルタＬＰ２を含む。
【００２１】
本発明は、今後一般的に図２でＬＰとして示される低域フィルタＬＰ１又はＬＰ２の改良版に関する。この線路フィルタ構成ＬＰは、前記のローカル・ポートＬＯ１／ＬＯ２及びライン・ポートＬＩ１／ＬＩ２にそれぞれ対応する第１のフィルタ・ポートＬＯと第２のフィルタ・ポートＬＩの間に置かれる。線路フィルタ構成ＬＰの目的は、１つの側で起こる電圧／電流の激しい変化の期間、２つの側を分離することである。以下で説明するように、これは電流変動ｄＩ／ｄｔを制限又はクランプすることによってなされる。ここで、Ｉはフィルタを流れる電流である。ここでは説明されないが、電流Ｉの絶対値又は電圧変動ｄＶ／ｄｔ、及びこれらすべてのパラメータの組み合わせを制限することも可能である。しかし、実際のテストによれば、組み合わせによる制限はやや効率が低下した結果を示す。
【００２２】
線路フィルタ構成ＬＰのフィルタ・ポートＬＩは２つのライン端子ＬＩａ及びＬＩｂを有し、フィルタ・ポートＬＯは２つのローカル端子ＬＯａ及びＬＯｂを有する。ライン端子ＬＩａはインダクタ又はコイルＬ１の第１の端部に接続され、コイルＬ１の第２の端部は第１のＦＥＴトランジスタＴ１のソース・ドレインｓ−ｄ通路（又はメイン・パス）を介してローカル端子ＬＯａに結合される。更に、ライン端子ＬＩａ、従ってコイルＬ１の第１の端部は、トランジスタＴ１のゲートｇ又は制御端子へ接続される。
【００２３】
周知のように、コイルＬ１上の電圧は、そこを流れる電流Ｉの変動ｄＩ／ｄｔに比例する。この電圧はトランジスタＴ１のゲート・ソース電圧Ｖｇｓとして現れ、従って、トランジスタＴ１がそのドレインｄ及びソースｓの間で示す抵抗を決定する。
【００２４】
正規の動作条件では、ｄＩ／ｄｔは小さい。従って、誘導されたＶｇｓも小さく、トランジスタＴ１はデプレッション型であるから、そのメイン・パス、即ちｄとｓの間の抵抗も小さく（約３オーム）、顕著に変化しない。従って、トランジスタＴ１は単に相互接続として見なされ、フィルタは通常の伝統的なインダクタンス・フィルタとして動作する。
【００２５】
例えば、フィルタ・ポートＬＩで電圧が上昇すると、電流Ｉは増大する。もしこの電圧変化が比較的に速いと、Ｖｇｓは急速に増大し、ｄとｓの間の抵抗も上昇する。トランジスタＴ１のメイン・パス抵抗のこの増大は電流Ｉを減少させる効果を有し、それによってＩの急速な変化に対して反対に作用する。その結果、このフィードバック・メカニズムは電流Ｉの変動ｄＩ／ｄｔを直ちに所定値へ制限する。変動ｄＩ／ｄｔに対するこの制御によって、電流ＩはＦＥＴトランジスタＴ１がない場合よりもはるかに遅れて同じ最終値に達する。
【００２６】
フィルタ・ポートＬＩとＬＯの間にコイルＬ１及びトランジスタＴ１を含む前述の線路フィルタ構成ＬＰは、これらポートの間の１つの方向で電流変動を制限又はクランプするのに十分である。しかし、２つの方向及びフィルタを流れる正及び負の２つの起こり得る信号スパイクに対して電流変動を制限するためには、コイルＬ１及びトランジスタＴ１と同じように配置された第２のコイルＬ２及び第２のトランジスタＴ２の直列接続が、ライン端子ＬＩｂとローカル端子ＬＯｂの間に設けられなければならない。好ましくは、また、配置の対称性を確保するために、コイルＬ１及びＬ２は図２に示されるように磁気結合される。
【００２７】
図３は、線路フィルタ構成ＬＰの更に実用的なフィルタ構成ＬＰ’を示す。線路フィルタ構成ＬＰに関連して説明したコンポーネントに加えて、フィルタ構成ＬＰ’は第３のトランジスタＴ３及び第４のトランジスタＴ４を含み、トランジスタＴ３のメイン・パスはライン端子ＬＩａをコイルＬ１の第１の端部に接続し、トランジスタＴ４のメイン・パスはライン端子ＬＩｂをコイルＬ２の第１の端部へ接続する。従って、フィルタ構成ＬＰ’は、そこに接続されたデバイスに関して平衡特性を有し、起こり得る共通モードの信号のマイナス効果は除去される。フィルタの動作をより良好に制御するために、トランジスタＴ１、Ｔ２、Ｔ３、及びＴ４のゲート又は制御端子は、それぞれ抵抗Ｒ１、Ｒ２、Ｒ３、及びＲ４を介して関連のコイルの反対の端部に接続される。
【００２８】
図１に示されるＡＤＳＬ方式の場合、過渡信号を濾波するために、一般的に７次低域フィルタが必要である。しかし、例えば本発明の構成を使用し電流Ｉの変動ｄＩ／ｄｔを制限することによって、フィルタを３次フィルタに低減しても同じ結果を与えることが証明された。そのような３次フィルタは、コンデンサＣ１をライン端子ＬＩａとＬＩｂの間に挿入し、第２のコンデンサＣ２をローカル端子ＬＯａとＬＯｂの間に挿入することによって得られる。２次フィルタも許容されるが、効率は減少する結果となる。
【００２９】
更に、フィルタ構成ＬＰ’は、トランジスタＴ１、Ｔ２、Ｔ３、及びＴ４のゲート電極とソース電極の間に接続されたツェナダイオードＺ１、Ｚ２、Ｚ３、及びＺ４によって、超過電流及び超過電圧に対して保護される。
【００３０】
最後に、一対の直列接続されたトランジスタＴ５及びＴ６がローカル端子ＬＯａとＬＯｂの間に設けられる。トランジスタＴ５のゲート又は制御端子はトランジスタＴ１のゲートに接続され、トランジスタＴ６のゲートはトランジスタＴ２のゲートに接続される。すべてデプレッション型であるトランジスタＴ１〜Ｔ４とは異なり、トランジスタＴ５及びＴ６はエンハンスメント型である。これらのトランジスタはトランジスタＴ１〜Ｔ４に関して相補的に動作する。言い換えれば、トランジスタＴ１〜Ｔ４を流れる電流が減少するとき、トランジスタＴ５〜Ｔ６を流れる電流は増大する。トランジスタＴ１〜Ｔ４によって制限される電流はＴ５〜Ｔ６へ引き出されるので、電流のクランプ動作は本発明の構成へ接続されたデバイスに透過であることが分かる。
【００３１】
前述の説明は低域フィルタ構成に関してなされたが、主としてインダクタをコンデンサで置換すれば、高域フィルタ構成を同一の原理に基づいて設計することができる。
【００３２】
これまで、本発明の原理は特定のデバイスと関連させて説明されたが、この説明は、添付の請求範囲で限定されるような本発明の範囲に対する制限ではなく、単なる例としてなされたことを明確に理解すべきである。
【図面の簡単な説明】
【図１】本発明に従ったフィルタ構成ＬＰ１、ＬＰ２を含むＡＤＳＬ方式の概略図である。
【図２】図１のフィルタ構成ＬＰ１、ＬＰ２の基本回路ＬＰを示す図である。
【図３】図２のフィルタ構成ＬＰの実用的な実施形態であるＬＰ’を示す図である。
【符号の説明】
ＡＤＳＬｃｏ  中央ＡＤＳＬモデム
ＡＤＳＬｃｐ  ローカルＡＤＳＬモデム
Ｃ１、Ｃ２  コンデンサ
ＣＯ  電話局
ＣＰ  ユーザ宅
ＨＰ１、ＨＰ２  高域フィルタ
Ｌ１、Ｌ２  コイル
ＬＩ  フィルタ・ポート
ＬＩ１、ＬＩ２  ライン・ポート
ＬＩａ、ＬＩｂ  ライン端子
ＬＭ１、ＬＭ２  ポート
ＬＯ  フィルタ・ポート
ＬＯ１、ＬＯ２  ローカル・ポート
ＬＯａ、ＬＯｂ  ローカル端子
ＬＰ  線路フィルタ構成
ＬＰ’  フィルタ構成
ＬＰ１、ＬＰ２  低域フィルタ
ＰＯＴＳ  ユーザ加入者セット
ＰＳＴＮ  公衆交換電気通信網
Ｒ１、Ｒ２、Ｒ３、Ｒ４  抵抗
ＳＰ１、ＳＰ２  スプリッタ
Ｔ１、Ｔ２、Ｔ３、Ｔ４、Ｔ５、Ｔ６  トランジスタ
ＴＰ  伝送線
Ｚ１、Ｚ２、Ｚ３、Ｚ４  ツェナダイオード
【図１】
0004445063.tif 000002
【図２】
0004445063.tif 000003
【図３】
0004445063.tif 000004